(57)【要約】【課題】蓋板を閉止状態に確実にロックでき、物流過程での引っ掛かり等によるトラブルも発生しにくい差込ロック式包装箱を提供する。【解決手段】前板１、側板２、後板３及び底板５，６から身箱を形成し、側板２に連設したフラップ７を内側へ折り曲げ、後板３に連設した蓋板８を閉じてフラップ７に重ね、蓋板８の先端から延びる蓋差片９を前板１に内接させて差し込み、前板１を切り込んで形成した前差片１０を基端及び中間の罫線１０ａ，１０ｂに沿って屈曲させつつ、蓋差片９の基端に設けた差込穴９ｂに差し込んで封緘する差込ロック式の包装箱において、蓋差片９に先端側が内方向へ向かう一対の差入切込９ｃを入れて、前差片１０に臨む前板１の切角部１ａを差入切込９ｃに差し込むと、前板１の切角部１ａの内縁に設けた突起１ｂが差入切込９ｃの内端部に係合して、蓋板８がロックされるようにする。【選択図】図４
2006312465.tif 000002
【特許請求の範囲】
【請求項１】
前板１、側板２、後板３及び底板５，６から身箱を形成し、側板２に連設したフラップ７を内側へ折り曲げ、後板３に連設した蓋板８を閉じてフラップ７に重ね、蓋板８の先端から延びる蓋差片９を前板１に内接させて差し込み、前板１を切り込んで形成した前差片１０を基端及び中間の罫線１０ａ，１０ｂに沿って屈曲させつつ、蓋差片９の基端に設けた差込穴９ｂに差し込んで封緘する差込ロック式の包装箱において、蓋差片９に先端側が内方向へ向かう一対の差入切込９ｃを入れて、前差片１０に臨む前板１の切角部１ａを差入切込９ｃに差し込むと、前板１の切角部１ａの内縁が差入切込９ｃの内端部に係合するようにしたことを特徴とする差込ロック式包装箱。
【請求項２】
請求項１に記載の差込ロック式包装箱において、蓋差片９の基端両側に入れた切込９ａがフラップ７に係合するようにしたことを特徴とする差込ロック式包装箱。
【請求項３】
請求項１又は２に記載の差込ロック式包装箱において、前差片１０の中間の罫線１０ｂの両側に入れた切込１０ｃが蓋差片９に係合するようにしたことを特徴とする差込ロック式包装箱。
【請求項４】
請求項３に記載の差込ロック式包装箱において、前差片１０をその両側に亘る切目線１０ｄ沿いに切り取って開封するようにしたことを特徴とする差込ロック式包装箱。
【発明の詳細な説明】
【技術分野】
【０００１】
この発明は、商品の抜き取りや異物混入等を防止する差込ロック機構を備えた包装箱に関するものである。
【背景技術】
【０００２】
一般に、小型で高価な嗜好性の高い商品の包装には、前板、側板、後板及び底板から身箱を形成し、側板から延出したフラップを内側へ折り曲げ、後板から延出した蓋板を閉じてフラップに重ね、蓋板の先端から延びる蓋差片を前板に内接させて差し込み、蓋板から前板へ粘着テープを貼り付けて封緘する包装箱が使用される。
【０００３】
ところで、上記のような包装箱では、梱包時におけるテープ貼り作業に手間がかかるほか、商品の購入者が包装箱の開封時にテープを切断する手間がかかるため、封緘性を維持しつつ、開封を容易にする包装箱として、下記特許文献１に記載されたようなものが提案されている。
【０００４】
この包装箱は、蓋板の先端から延びる蓋差片を前板に内接させて差し込み、前板を切り込んで形成した前差片を基端及び中間の罫線に沿って屈曲させつつ、蓋差片の基端に設けた差込穴に差し込み、その側部を相互に係合させて封緘し、前差片を切目線沿いに切り取って開封するものである。
【０００５】
【特許文献１】特開２００２−３４７７５８号公報
【発明の開示】
【発明が解決しようとする課題】
【０００６】
しかしながら、上記特許文献１に記載されたような包装箱では、前差片を差込穴から引き抜くことができれば開封できるため、商品の抜き取りや異物混入等に対する安全性が十分でないという問題があった。
【０００７】
また、前板の前差片に臨む切角部が物流過程で引っ掛かり、前板が捲れるように折れ曲がるトラブルが発生することもあった。
【０００８】
そこで、この発明は、蓋板を閉止状態に確実にロックでき、物流過程での引っ掛かり等によるトラブルも発生しにくい差込ロック式包装箱を提供しようとするものである。
【課題を解決するための手段】
【０００９】
上記課題を解決するため、この発明は、蓋板の先端から延びる蓋差片を前板に内接させて差し込み、前板を切り込んで形成した前差片を基端及び中間の罫線に沿って屈曲させつつ、蓋差片の基端に設けた差込穴に差し込んで封緘する差込ロック式の包装箱において、蓋差片に先端側が内方向へ向かう一対の差入切込を入れて、前差片に臨む前板の切角部を差入切込に差し込むと、前板の切角部の内縁が差入切込の内端部に係合するようにしたのである。
【発明の効果】
【００１０】
この包装箱では、前差片を差込穴から引き抜くことができても、前板の切角部を差入切込から引き抜くことができなければ、開封できないので、商品の抜き取りや異物混入を効果的に防止することができ、安全性が向上する。また、前板の切角部が蓋差片で抑えられるので、物流過程での引っ掛かり等によるトラブルも防止される。
【発明を実施するための最良の形態】
【００１１】
以下、この発明の実施形態を添付図面に基づいて説明する。
【００１２】
この包装箱は、図１に示すような板紙製ブランクから形成される。このブランクでは、前板１の一側に側板２、後板３及び側板２が順次連設され、前板１の他側に継代片４が連設されている。前板１、後板３及び側板２の下端には底板５，６がそれぞれ連設され、側板２の上端にはフラップ７が、後板３の上端には蓋板８がそれぞれ連設されている。
【００１３】
フラップ７には、組立時に前側となる基部に係合部７ａが設けられており、蓋差片９には、基端両側に罫線と位置をずらして切込９ａが入れられ、基端中間部に凸状の切目を入れて差込穴９ｂが設けられている。
【００１４】
また、蓋差片９には、差込穴９ｂの両側方に、先端側が内方向へ向かうように湾曲した一対の差入切込９ｃが入れられ、その内端部は巻き込むように上方へ曲げられて、差入切込９ｃの内側部分に押圧部９ｄが形成されている。
【００１５】
前板１の上部には、切込により前差片１０が形成され、前差片１０の基端及び中間には罫線１０ａ，１０ｂがそれぞれ入れられている。罫線１０ｂの両端には、罫線と位置をずらして切込１０ｃが入れられ、罫線１０ａの両端間を繋ぐように、前板１には弧状の切目線１０ｄが入れられている。
【００１６】
前板１の前差片１０に臨む部分は切角部１ａとされ、その内縁には突起１ｂが設けられている。突起１ｂは上方から下方へ弧状に膨出し、その下縁は水平に切断されて、フック状となっている。
【００１７】
上記のようなブランクを組み立てて商品を包装するには、図２及び図３に示すように、前板１、一対の側板２及び後板３を角筒状に折り曲げ、継代片４を反対側の側板２に貼り付け、底板５，６により底面を閉止して身箱を形成し、身箱内に商品を収納した後、一対のフラップ７を内側へ折り曲げ、蓋板８を閉じる。
【００１８】
このとき、蓋差片９を前板１に内接させて前板１とフラップ７の間に差し込むと、蓋差片９の両端の切込９ａがフラップ７の係合部７ａに係合し、次いで、前板１の切角部１ａを差入切込９ｃに差し込むと、突起１ｂが差入切込９ｃの内端部に係合する。
【００１９】
さらに、前差片１０を基端及び中間の罫線１０ａ，１０ｂに沿って屈曲させつつ、蓋差片９の差込穴９ｂに差し込むと、図４に示すように、前差片１０の切込１０ｃが差込穴９ｂの両端部に係合して、蓋板８は三段階にロックがかかった状態で封緘される。
【００２０】
このように封緘した包装箱では、物流過程で痕跡を残さずに開封しようとすると、上記三段階のロックを封緘時とは逆の順序でそれぞれ解除しなければならず、ロック部分を破らずに開封することは非常に困難であるため、商品の抜き取りや異物混入を効果的に防止することができる。
【００２１】
また、前板１の切角部１ａが蓋差片９の押圧部９ｄで抑えられるので、物流過程で切角部１ａが荷台の壁面等に引っ掛かって前板１が捲れるように折れ曲がったり、破れたりするトラブルも防止される。
【００２２】
また、製造に要する用紙の面積が増大することもなく、従来の箱と同様に製函することができ、商品の包装作業時に、封緘のためのテープ貼り作業も不要となり、ロックのための手間がかかることもない。
【００２３】
一方、商品の購入者が包装箱を開封する際には、図５に示すように、前板１の切目線１０ｄより内側の部分を押し込んで、切目線１０ｄを破断させると、前差片１０が前板１から切り取られて開封されるので、蓋板８を容易に開くことができる。
【００２４】
なお、上記実施形態では、平面形状が四角形の包装箱を例示したが、側板が両側それぞれ複数枚設けられた六角形や八角形等の包装箱においても、同様の構成を適用することができる。
【図面の簡単な説明】
【００２５】
【図１】この発明の実施形態に係る包装箱のブランクを示す図
【図２】同上の包装箱の組立封緘過程を示す斜視図
【図３】同上の要部拡大斜視図
【図４】同上の封緘状態を示す斜視図
【図５】同上の開封状態を示す斜視図
【符号の説明】
【００２６】
１  前板
１ａ  切角部
１ｂ  突起
２  側板
３  後板
４  継代片
５，６  底板
７  フラップ
８  蓋板
９  蓋差片
９ａ  切込
９ｂ  差込穴
９ｃ  差入切込
９ｄ  押圧部
１０  前差片
１０ａ，１０ｂ  罫線
１０ｃ  切込
１０ｄ  切目線
【図１】
2006312465.tif 000003
【図２】
2006312465.tif 000004
【図３】
2006312465.tif 000005
【図４】
2006312465.tif 000006
【図５】
2006312465.tif 000007